(57)【要約】【課題】  携帯用丸鋸の切断作業時は、必ず鋸刃の刃先の位置を認識していなければ正確な切断を行うことができない。しかし鋸刃の刃先の位置の認識を行うためには丸鋸本体越しに覗き込む必要が有り体をねじった無理な姿勢を強いられてしまい作業性の低下を招く問題があった。【解決手段】  作業姿勢のまま鋸刃４の刃先１４又は墨線１７を目視確認できるベース５の位置に反射板１３を設けた。【選択図】  図１
2009184319.tif 000002
【特許請求の範囲】
【請求項１】
電動機を内蔵した本体と、該本体に回転可能に取付けられ前記電動機により駆動されて被切断材を切断する鋸刃と、前記本体の下方に回動可能に取付けられ前記被切断材に当接するベースとを備えた携帯用丸鋸において、前記ベースに前記鋸刃の前記被切断材に対する切断位置を確認するための反射板を設けたことを特徴とする携帯用丸鋸。
【請求項２】
前記鋸刃の前記被切断材に対する切断位置を照らす照明装置を有し、前記反射板が、該照明装置の光を反射して前記鋸刃の刃先付近を照射可能にしたことを特徴とする請求項１記載の携帯用丸鋸。
【請求項３】
前記反射板は、少なくとも前記ベースの切断方向側に設けたことを特徴とする請求項１又は請求項２記載の携帯用丸鋸。
【請求項４】
前記鋸刃の反ベース側を覆う保護カバーを有し、前記照明装置は、前記反射板と対向する位置であって該保護カバーに設けられることを特徴とする請求項２又は請求項３記載の携帯用丸鋸。
【発明の詳細な説明】
【技術分野】
【０００１】
本発明は、鋸刃の刃先の視認性を向上させた携帯用丸鋸に関する。
【背景技術】
【０００２】
携帯用丸鋸の切断作業には、被切断材上に墨線を引き、鋸刃を墨線上に合わせて切断する方法や、図５のように被切断材に丸鋸に設けたガイド１４を当接させて切断位置を決めた状態で切断する方法がある。前者の場合には、鋸刃の刃先を墨線に合わせながら切断を行うものであった。また、後者の場合には、被切断材の切断する位置に鋸刃の刃先を合わせてから、ガイドを調整し被切断材の側面に当接させ切断を行うものであった。これらの切断作業時には必ず鋸刃の刃先の位置を確認しながらでないと正確な切断位置を切断することができなかった。また、鋸刃の刃先の位置を確認するためには丸鋸本体越しに刃先を覗き込む必要が有り、作業者は体をねじった無理な姿勢を強いられてしまい作業性の低下を招く問題があった。
【０００３】
そこで、この問題を解決する構成として、特許文献１及び特許文献２には、鋸刃の刃先を照らす照明装置を設けた携帯用丸鋸が開示されている。
【０００４】
【特許文献１】特開平１１−１７０２０３号公報
【特許文献２】特開２００２−２１０７０３号公報
【発明の開示】
【発明が解決しようとする課題】
【０００５】
特許文献１及び特許文献２に開示されている携帯用丸鋸は、照明装置を設けて鋸刃の刃先付近を照らすことにより、光量が足りない現場等であっても被切断材に引かれた墨線及び鋸刃の刃先を視認することができる。しかしながら、墨線及び鋸刃の刃先を見やすくすることができるものの、墨線を確認するためには丸鋸本体越しに覗き込む必要があり作業性の低下を招くことを防止することはできない。
【０００６】
そこで、本発明は、上記した問題を解決し、視認性を向上させるとともに、切断作業能率の良い携帯用丸鋸を提供することを目的とする。
【課題を解決するための手段】
【０００７】
上記課題を解決するために、本発明は、電動機を内蔵した本体と、該本体に回転可能に取付けられ前記電動機により駆動されて被切断材を切断する鋸刃と、前記本体の下方に回動可能に取付けられ前記被切断材に当接するベースとを備えた携帯用丸鋸において、前記ベースに前記鋸刃の前記被切断材に対する切断位置を確認するための反射板を設けた携帯用丸鋸を提供している。
【０００８】
この構成により、作業者が丸鋸本体越しに墨線を覗き込まなくても墨線又は鋸刃の刃先が反射板に映るため、作業姿勢のまま切断位置を確認することができ、視認性を向上できると共に作業性を向上することができる。
【０００９】
また、前記鋸刃の前記被切断材に対する切断位置を照らす照明装置を有し、前記反射板が、該照明装置の光を反射して前記鋸刃の刃先付近を照射可能にすることが好ましい。
【００１０】
この構成にすれば、照明装置により切断位置を照らすことができるため、光量が足りない場所でも視認性を確保することができる。
【００１１】
また、前記反射板は、少なくとも前記ベースの切断方向側に設けることが好ましい。この構成にすれば、切断方向の墨線を確実に視認することができる。
【００１２】
また、前記鋸刃の反ベース側を覆う保護カバーを有し、前記照明装置は、前記反射板と対向する位置であって該保護カバーに設けられることが好ましい。この構成にすれば、照射装置からの光を直接反射板で反射できるため、光量が足りない場所での視認性をより一層確保することができる。
【発明の効果】
【００１３】
本発明によれば、鏡面板を通して鋸刃の刃先又は墨線を目視確認できるので、視認性が向上し切断作業性の良い携帯用丸鋸を提供することができる。
【発明を実施するための最良の形態】
【００１４】
本発明の実施の形態による携帯用丸鋸について図１乃至図３を用いて説明する。
【００１５】
まず、携帯用丸鋸の構成について説明する。図１に示されるように、携帯用丸鋸１は、不図示の電動機となるモータを内蔵したハウジング２と、作業者が把持するハンドル３と、被切断材を切断する鋸刃４と、被切断材と当接するベース５とから主に構成されている。
【００１６】
ハウジング２には、ハンドル３が設けられ、モータの回転を鋸刃４に伝達するための不図示の減速装置が収容されている。ハンドル３には、モータの駆動を制御するスイッチ６と、照明装置７のオン／オフを制御する照明スイッチ８が設けられている。よって、作業者がハンドル３を把持しスイッチ６をオンすることにより、モータの回転が減速装置を介して鋸刃４に伝達され被切断材を切断することができる。
【００１７】
鋸刃４の反ベース５側の略半分は保護カバー９で覆われており、鋸刃４のベース５から下方に突出する部分は安全カバー１０で覆われている。安全カバー１０は軸１１を中心に回動可能に設けられており、ベース５を被切断材に当接し丸鋸１を切断方向に摺動した際に被切断材に当接して回動する。また、安全カバー１０に設けたレバー１２により、任意に安全カバー１０を回動することもできる。
【００１８】
ベース５には反射板１３が設けられている。反射板１３は、ベース５の切断方向前側であって、鋸刃４の側面側にベース５に対して傾斜して設けられており、作業者が作業姿勢のままでも鋸刃４の刃先１４又は墨線１７を目視確認できる位置に設けられている。更に、保護カバー９の切断方向前側の部分には、照明装置７が設けられている。照明装置７には不図示の電線により電力源から電力供給を受けるＬＥＤ１５が収納されており、鋸刃４の両側面側から鋸刃４の刃先１４又は墨線１７を照らすためのＬＥＤ１５が２つ設けられている。丸鋸１のスイッチ６とは別に設けた照明スイッチ８をオンすることでＬＥＤ１５は点灯して鋸刃４の刃先部１５を照射することができる。この時、ＬＥＤ１５から照射された光が反射板１３で反射して鋸刃４の刃先１４付近又は墨線１３を照らすため鋸刃４の刃先１４の視認性が向上する。なお、照明装置７は、反射板１３に対向する保護カバー９の位置に設けられている。
【００１９】
次に、携帯用丸鋸１による被切断材の切断動作について説明する。作業者がハンドル３を把持し、被切断材１６上にベース５を当接させ、ハンドル３に設けたスイッチ６をオンする。ハウジング２に内蔵したモーターの回転は不図示の減速装置を介して鋸刃４に伝達され、鋸刃４の回転により鋸刃４の刃先１４を墨線１７に合わながら木材などの被切断材１６を切断する。この時、ベース５には鏡面板１３が設けられており、反射板１３により鋸刃４の刃先１４又は墨線１７が映し出されるため、作業者は作業姿勢のまま反射板１３を介して鋸刃４の刃先１４を目視確認することができる。
【００２０】
また、鋸刃４の反ベース５側を覆う保護カバー９の切断方向前側であって反射板１３と対向する位置には、照明装置７が設けられているため、ハンドル３に設けた照明スイッチ８をオンすることにより、暗い場所での作業でも照射装置７のＬＥＤ１５からの光が反射板１３で反射されて鋸刃４の刃先１４又は墨線１７を照らすため、視認性を損なうこなく切断作業をすることができる。
【００２１】
なお、本実施の形態では、図３に示すように、反射板１３は、ベース５の鋸刃４の片方の側面側にのみ設けた構成にしたが、鋸刃４の両側面側に設ければ、鋸刃４に対し左右どちらの方向からでも刃先１４を目視し易くなる。
【図面の簡単な説明】
【００２２】
【図１】本発明の実施の形態としての携帯用丸鋸の外観斜視図。
【図２】本発明の実施の形態としての携帯用丸鋸の鋸刃側から見た側面図。
【図３】本発明の実施の形態としての図２のＡ−Ａ断面図。
【図４】本発明の実施の形態としての切断作業状態を示す図。
【図５】従来技術における携帯用丸鋸の外観斜視図。
【符号の説明】
【００２３】
１は携帯用丸鋸、２はハウジング、３はハンドル、４は鋸刃、５はベース、６はスイッチ、７は照明装置、８は照明スイッチ、９は保護カバー、１０は安全カバー、１１は軸、１２はレバー、１３は反射板、１４は刃先、１５はＬＥＤ、１６は被切断材、１７は墨線、１８はガイド。
【図１】
2009184319.tif 000003
【図２】
2009184319.tif 000004
【図３】
2009184319.tif 000005
【図４】
2009184319.tif 000006
【図５】
2009184319.tif 000007